(57)【要約】【課題】内容物回収のための流路形状を一定に保ち、吐出口から逆止弁までの空間に残留した内容物を容器内部へ十分に回収できるとともに、逆止弁を確実に作動させることが可能な吐出キャップを提供すること。【解決手段】容器口部２０１と嵌合する嵌合壁部１１２と、内容物Ｐを吐出する吐出口１１３ａと、容器内部と吐出口１１３ａとの間に区画された弁室１３０を有し、弁室１３０には、内容物Ｐを取り出す供給孔１３５及び弁座１３４を有する底部１３３と、弁座１３４方向に付勢される逆止弁１３２と、弁室１３０と容器内部とを連通する回収流路１４２とが設けられ、回収流路１４２は、少なくとも弁座１３４より外周側で、吐出時に傾斜した際の弁室１３０内の内容物Ｐの液面よりも下方の位置に設けられていること。【選択図】図１
2018154356.tif 000002
【特許請求の範囲】
【請求項１】
容器口部に嵌合され、容器内部に収容された内容物を傾斜させて吐出する吐出キャップであって、
該吐出キャップは、容器口部と嵌合する嵌合部と、容器内部に収容された内容物を吐出する吐出口とを有するとともに、容器内部と前記吐出口との間に区画された弁室をさらに有し、
前記弁室には、容器内部と連通し、内容物を取り出す供給孔及び弁座を有する底部と、逆止弁と、前記弁室と容器内部とを連通する少なくとも１つの回収流路とが設けられ、
前記逆止弁は前記供給孔の軸線方向に沿って摺動可能に設けられるとともに、前記弁座方向に付勢されて前記弁座と当接可能に構成され、
前記回収流路は、少なくとも前記弁座よりも外周側で、かつ、吐出時に傾斜した際の前記弁室内の内容物の液面よりも下方の位置にのみ設けられていることを特徴とする吐出キャップ。
【請求項２】
前記回収流路は、吐出時に傾斜した際の前記弁座の上端よりも下方の位置に設けられていることを特徴とする請求項１に記載の吐出キャップ。
【請求項３】
前記吐出口の先端には、吐出時に傾斜した際に下方に位置する吐出誘導部が設けられていることを特徴とする請求項２に記載の吐出キャップ。
【請求項４】
該吐出キャップには、前記吐出口を閉塞する閉塞栓を有した上蓋が設けられ、
前記閉塞栓は、前記上蓋を閉じた際に、前記逆止弁を押圧することを特徴とする請求項１乃至請求項３のいずれかに記載の吐出キャップ。
【請求項５】
該吐出キャップには、前記嵌合部と、前記吐出口と、前記弁室とを有したキャップ本体が設けられ、
前記上蓋は、吐出時に傾斜した際の前記キャップ本体の上端側にヒンジによって接続されていることを特徴とする請求項４に記載の吐出キャップ。
【請求項６】
前記回収流路は、前記弁室と前記吐出口との接続部のうち、吐出時に傾斜した際の接続部の最下点を含む水平面よりも下方に設けられていることを特徴とする請求項１乃至請求項５のいずれかに記載の吐出キャップ。
【請求項７】
前記回収流路は、前記底部の中心を回転中心として、吐出時に傾斜した際の前記弁室の下端を、前記底部の周方向の時計回り及び反時計回りにそれぞれ４５度ずつ回転させて形成した弧の両端を結んだ直線を含む、吐出時に傾斜した際の水平面よりも下方の位置にのみ設けられていることを特徴とする請求項１乃至請求項６のいずれかに記載の吐出キャップ。
【請求項８】
該吐出キャップは、キャップ本体と中栓とを有し、
前記キャップ本体には、前記キャップ本体の本体天面から上方に突出した吐出口と、前記本体天面の下面から円筒状に垂下した係合壁部とが設けられ、
前記中栓には、前記供給孔及び前記弁座を有した前記底部が設けられ、
前記弁室は、前記係合壁部に前記中栓が嵌合することで形成され、
前記中栓と前記係合壁部との間には、前記回収流路が設けられていることを特徴とする請求項１乃至請求項７のいずれかに記載の吐出キャップ。
【請求項９】
前記係合壁部の内周面には、下方に開放された回収溝と、半径方向内方に突出した密着部とが設けられており、前記中栓と前記係合壁部とが嵌合し、前記密着部と前記底部の外周面とが当接することで、前記回収流路を形成することを特徴とする請求項８に記載の吐出キャップ。
【請求項１０】
該容器は、内容物を収容する可撓性の内部容器と、前記内部容器を内包する外部容器とを有した容器であって、
前記外部容器には、前記内部容器と前記外部容器との間に外気を吸引可能な吸入弁が設けられていることを特徴とする請求項８または請求項９に記載の吐出キャップを備えた容器。
【発明の詳細な説明】
【技術分野】
【０００１】
本発明は、容器口部に嵌合され、容器内部に収容された内容物を傾斜させて吐出する吐出キャップに関する。
【背景技術】
【０００２】
従来、容器内部に収容された液状内容物または粘性を有する流動性内容物を傾斜させて吐出する吐出キャップとして、容器内部と吐出口（吐出通路２４）との間に逆止弁が設けられている吐出キャップが公知である。この吐出キャップは、容器から内容物を吐出する際に、容器の外部から加圧された内容物が逆止弁を弁座から離脱させることで、容器内部から吐出口（吐出通路２４）へ内容物が通過し吐出するとともに、内容物への加圧を解除することで、逆止弁が弁座に密着し容器を密閉するため、容器内部を外気から遮断でき、容器内部に残っている内容物の乾燥や酸化等の劣化を防ぐことができる。
【０００３】
また、特許文献１等で公知の吐出キャップは、内容物を収容する可撓性の内部容器と、内部容器を内包する弾性を備えた外部容器とを有し、内部容器と外部容器との間に外気を吸引可能な吸入弁が設けられた容器を使用しており、内容物の吐出に伴い減少した外部容器内の体積を、吸入弁から外気を吸引することで復元できるため、容器の外観形状を変えることなく最後まで同じ使用感で内容物を吐出することができる。
しかしながら、上記特許文献１の吐出キャップでは、内容物の吐出後に逆止弁が作動して内部容器を密閉するため、吐出口（吐出通路２４）から逆止弁までの空間に内容物が残留してしまう虞があった。
【０００４】
また、特許文献２にも容器内部の密閉性が高められた吐出キャップが提案されている。この吐出キャップは、弁座に浅い溝が形成されており、内容物の吐出後に逆止弁が作動しても、逆止弁と弁座との間に微小な隙間（流通溝２７）が残る。
この時、外部容器が形状を復元していく間は外部容器内は負圧状態であるため、吸入弁から外気を吸引し終わるまでの間、吐出口から逆止弁までの空間に残留している内容物は逆止弁と弁座との間の微小な隙間（流通溝２７）を通り、内部容器へ吸引、回収される。さらに、逆止弁と弁座との間の微小な隙間（流通溝２７）は十分に薄いため、内部容器へ吸引された残液の一部が表面張力により逆止弁と弁座との間の隙間（流通溝２７）に留まり、内部容器内への外気の進入を防止できる。
【先行技術文献】
【特許文献】
【０００５】
【特許文献１】特開２０１３−２４１１９７号公報
【特許文献２】特開２０１６−３７２９０号公報
【発明の概要】
【発明が解決しようとする課題】
【０００６】
しかしながら、特許文献２の吐出キャップにおいては、未だ改善の余地があった。即ち、逆止弁と弁座との当接面に浅い溝を設けて内容物が通過可能な微小な隙間（流通溝２７）を形成するため、逆止弁が弁座と当接する位置関係にズレが生じた場合、隙間（流通溝２７）の大きさが変化すると、隙間（流通溝２７）が小さくなり過ぎて容器内部に十分に内容物を回収できなくなったり、隙間（流通溝２７）が大きくなり過ぎて逆止弁が確実に作動せず、容器内部に空気を混入させてしまう虞があった。
また、特許文献２における円筒状内側壁部１９と環状壁部１０との接続部周辺のように吐出口（吐出通路４１）から逆止弁までの空間に弁座の上端よりも低い箇所がある場合、残留した内容物を十分に容器内部に回収できずに残留してしまう虞があった。
また、微小な隙間（流通溝２７）の形成領域は逆止弁と弁座との間に限定されるため、高粘度液等の流動しにくい内容物を回収したい場合、逆止弁と弁座との間に形成した微小な隙間（流通溝２７）だけでは流量が十分に確保できずに内容物を容器内部へ回収しきれない虞があった。
さらに、容器内部に収容された内容物を傾斜させて吐出するため、内容物の吐出時に、吐出口（吐出通路４１）から逆止弁までの空間が傾斜した際の上方に流入してきた空気が溜まりやすく、逆止弁と弁座との間に形成した隙間（流通溝２７）に空気が入り込み、容器内部へ空気が流入してしまう虞があった。
【０００７】
本発明は、これらの問題点を解決するものであり、簡単な構成で、内容物回収のための流路形状を一定に保ち、吐出口から逆止弁までの空間に残留した内容物を容器内部へ十分に回収できるとともに、逆止弁を確実に作動でき、容器内へ空気が流入することがない吐出キャップを提供することを目的とするものである。
【課題を解決するための手段】
【０００８】
本発明の吐出キャップは、容器口部に嵌合され、容器内部に収容された内容物を傾斜させて吐出する吐出キャップであって、該吐出キャップは、容器口部と嵌合する嵌合部と、容器内部に収容された内容物を吐出する吐出口とを有するとともに、容器内部と前記吐出口との間に区画された弁室をさらに有し、前記弁室には、容器内部と連通し、内容物を取り出す供給孔及び弁座を有する底部と、逆止弁と、前記弁室と容器内部とを連通する少なくとも１つの回収流路とが設けられ、前記逆止弁は前記供給孔の軸線方向に沿って摺動可能に設けられるとともに、前記弁座方向に付勢されて前記弁座と当接可能に構成され、前記回収流路は、少なくとも前記弁座よりも外周側で、かつ、吐出時に傾斜した際の前記弁室内の内容物の液面よりも下方の位置にのみ設けられていることにより、前記課題を解決するものである。
【発明の効果】
【０００９】
請求項１に係る吐出キャップ及び、回収流路は、少なくとも弁座よりも外周側に設けられているため、逆止弁と弁座との当接位置に依存することなく、内容物回収のための流路を常に一定に保つことができるとともに、逆止弁を確実に作動させることができる。
また、弁座上に回収流路を設ける場合に比べて、容器口部よりも内側且つ弁座よりも外側に回収流路を設けた方が、回収流路の総断面積をより大きくできる。即ち、高粘度液等の流動しにくい内容物に対しても迅速に容器内部へ回収可能な回収流路を形成することができる。
さらに、回収流路は、吐出時に傾斜した際の弁室内の内容物の液面よりも下方の位置にのみ設けられているため、内容物の吐出時に、弁室内の傾斜した際、上方に空気が溜まっても、回収流路に空気が入り込むことがなく、容器内部へ空気が流入することがない。
【００１０】
請求項２に記載の構成によれば、回収流路は吐出時に傾斜した際の弁座の上端よりも下方の位置に設けられているため、従来の弁座に隙間を設けたものよりも容器内部への空気の流入を防止できる。
請求項３に記載の構成によれば、吐出口の先端には、吐出時に傾斜した際に下方に位置する吐出誘導部が設けられており、回収流路の形成位置は吐出時において弁室内の吐出誘導部側とは反対側の弁座の上端よりも下方に形成しているため、吐出時において弁室内の空気は回収流路とは反対側に溜まり、内容物の吐出中に空気が回収流路内に入り込むことを防ぐことができる。
【００１１】
請求項４に記載の構成によれば、吐出キャップは、キャップ本体に嵌合する上蓋を有し、上蓋には、吐出口を閉塞する閉塞栓が設けられているため、上蓋をキャップ本体に嵌合することで、内容物が吐出口から漏出することを防ぐとともに、吐出口から弁室内に外気が流入することを防止できる。
また、閉塞栓は、上蓋を閉じた際に逆止弁を押圧するため、逆止弁による供給孔の閉塞をより強固にでき、吐出時以外に内容物が容器内部からの漏出を防ぐことができる。
請求項５に記載の構成によれば、上蓋は、吐出時に傾斜した際のキャップ本体の上端側にヒンジによって接続されており、回収流路の形成位置はヒンジ側の弁座の上端部よりも下方であり、吐出時において弁室内の空気はヒンジ側に溜まるため、内容物の吐出中に空気が回収流路内に入り込むことをさらに防ぐことができる。
【００１２】
請求項６に記載の構成によれば、回収流路の形成位置は、弁室と吐出口との接続部のうち、吐出時に傾斜した際の接続部の最下点を含む水平面よりも下方であるため、内容物の吐出中に空気が回収流路内に入り込むことをより一層防ぐことができる。
請求項７に記載の構成によれば、回収流路の形成位置は、吐出時に傾斜した際の弁室の下端を、底部の中心を回転中心として底部の周方向の時計回り及び反時計回りにそれぞれ４５°ずつ回転させて形成した弧の両端を結んだ直線を含む、吐出時に傾斜した際の水平面よりも下方であるため、内容物の吐出中に空気が回収流路内に入り込むことを確実に防ぐことができる。
【００１３】
請求項８に記載の構成によれば、弁室は、キャップ本体の係合壁部に中栓が嵌合することで形成され、中栓と係合壁部の間に回収流路を設けることで、流路を容易に形成できるとともに、形状の設計自由度も高く、キャップ本体側のみを形状変更して回収流路の形状を変更する場合、同じ中栓を形状の異なるキャップ本体に対して使用することができる。
請求項９に記載の構成によれば、係合壁部の内周面には、下方に開放された回収溝と、半径方向内方に突出した密着部とが設けられており、中栓と係合壁部とが嵌合し、密着部と底部の外周面とが当接することで、回収流路を形成するため、弁座に溝を形成する場合に比べて回収流路の総断面積を増加できる。
また、中栓と係合壁部との嵌合時に、中栓の周方向の位置合わせをする必要がないため、吐出キャップの組立工程を簡略化できる。
【００１４】
請求項１０に記載の容器によれば、内容物を収容する可撓性の内部容器と、内部容器を内包する外部容器とを有し、外部容器には、内部容器と外部容器との間に外気を吸引可能な吸入弁が設けられているため、外部容器を押圧して内部容器内の圧力を高め内容物を吐出した後、外部容器の押圧を解除すると、内容物の吐出に伴い減少した外部容器内の体積を、吸入弁から外気を吸引することで補填し外部容器のみ復元することができるため、容器の外観形状を変えることなく最後まで同じ使用感で内容物を吐出することができる。
また、外部容器が形状を復元していく間、外部容器内は負圧状態であるため、吸入弁が外気を吸引し終わるまでの間、弁室に残留している内容物は回収流路から内部容器へ吸引され、十分に内容物を回収することができる。
【図面の簡単な説明】
【００１５】
【図１】本発明の一実施形態に係る吐出キャップ１００の、容器２００との嵌合状態の断面図。
【図２】本発明の一実施形態に係る吐出キャップ１００の断面図、Ａ部拡大図及びＢ−Ｂ’断面。
【図３】本発明の一実施形態に係る逆止弁１３２及び中栓１３１の正面図及び側面図。
【図４】本発明の一実施形態に係る吐出キャップ１００の吐出時の状態を示す断面図及びＣ部拡大図。
【図５】本発明の一実施形態に係る吐出キャップ１００の内容物Ｐの回収時の状態を示す断面図及びＣ部拡大図。
【図６】本発明の一実施形態に係る吐出キャップ１００の上蓋１２０を閉じた状態を示す断面図。
【図７】本発明の一実施形態に係る吐出キャップ１００の、弁室１３０内に外気Ｇが留まった際の内容物Ｐの吐出時及び回収時の状態を示す断面図と、弁室１３０内の液面位置Ｓを示す模式図。
【図８】本発明の一実施形態に係る吐出キャップ１００の、弁室１３０内に外気Ｇが溜まった際の内容物Ｐの回収時の状態を示す断面図と、弁室１３０内の液面位置Ｓを示す模式図。
【発明を実施するための形態】
【００１６】
以下に、本発明の一実施形態に係る吐出キャップ１００について、図面に基づいて説明する。なお、吐出キャップ１００に嵌合する容器２００は、容器口部２０１周辺のみを図示する。
吐出キャップ１００は、容器２００の容器口部２０１に嵌合され、容器２００の内部に収容された内容物Ｐを、容器２００を吐出方向へ傾斜させて吐出するものであり、図１乃至図３に示すように、キャップ本体１１０と、上蓋１２０と、弁室１３０とが設けられている。
【００１７】
キャップ本体１１０は、本体天面１１１と、本体天面１１１から下方に垂下する嵌合壁部１１２と、吐出口１１３ａ及び吐出誘導部１１３ｂを有し、本体天面１１１との接続部である吐出口接続部１１３ｃから突出形成された吐出筒１１３と、嵌合壁部１１２より内側で本体天面１１１から下方に円筒状に垂下する係合壁部１１４と、本体天面１１１の周縁部から下方に垂下するスカート壁１１５とを有している。
嵌合壁部１１２及びスカート壁１１５が容器口部２０１との嵌合部であり、キャップ本体１１０と容器２００とは、嵌合壁部１１２とスカート壁１１５の内周面上方に設けられた係合凸部１１７との間に容器口部２０１を挿入することで嵌合し、スカート壁１１５の内周面下方に設けられた係止リブ１１６を、容器口部２０１の係止突条２０２が乗り越えた位置で吐出キャップ１００と容器２００との位置関係が固定される。
また、係合壁部１１４の下端部には内方に突出する突条１１４ａが形成され、係合壁部１１４の内周面の、吐出時に傾斜した際の吐出方向側には、下方に開放した０．０５ｍｍ程度の浅い溝部１１４ｂが３箇所設けられている。
【００１８】
上蓋１２０は、キャップ本体１１０の、吐出方向とは反対側にヒンジ接続されており、上蓋天面１２１と、上蓋天面１２１から垂下した閉塞栓１２２とを有している。
【００１９】
中栓１３１は、中央に容器２００の内部と連通する供給孔１３５を有する円環状の底部１３３と、底部１３３の外縁部から上方に延出する複数の係合柱部１３６と、底部１３３の内縁部から下方に延出する円環状の筒部１３７とを有している。
底部１３３上面から筒部１３７内面との弧状接続領域には後述する弁部１３８の弁シール面１３８ａと当接する弁座１３４が形成されている。
【００２０】
逆止弁１３２は、エラストマーまたは低密度ポリエチレンの如き比較的軟質である合成樹脂から形成され、略円板形状であって下方に位置する弁部１３８と、円環形状であって上方に位置する基部１４０と、弁部１３８と基部１４０とを接続する接続片１４１とを有する。
弁部１３８の上面は上方に膨出しており、上面と下面が上方にやや膨らんだ弧状断面形状を有している。
また、弁部１３８の外周面下端部には半径方向内方に向かって下方に傾斜する逆円錐台形状の弁シール面１３８ａが形成されている。
接続片１４１は周方向に等角度間隔を置いて３個配設される帯状部材であり、接続片１４１の弾性力による下向きの復元力が弁部１３８に常時作用する。
【００２１】
弁室１３０は、本体天面１１１の下面側に設けられており、本体天面１１１と、係合壁部１１４と、中栓１３１とで区画された空間として形成される。
弁室１３０内には、下方に付勢された逆止弁１３２の弁部１３８が、底部１３３の供給孔１３５の周囲に形成された弁座１３４に当接するように設けられている。
また、図３に示すように、底部１３３は半径方向外方に向かって下方へ傾斜しており、底部１３３及び係合柱部１３６と係合壁部１１４とが当接することで、逆止弁１３２が弁室１３０内に係合保持されるとともに、溝部１１４ｂと底部１３３の外周縁部とによって、弁室１３０と容器２００の内部とを連通する細長い回収流路１４２が形成される。
【００２２】
容器２００は、内容物Ｐを収容する可撓性の内部容器（図示しない）と、内部容器（図示しない）を内包する弾性を備えた外部容器（図示しない）とを有し、内部容器（図示しない）と外部容器（図示しない）との間に外気Ｇを吸引可能な吸入弁（図示しない）が設けられており、内容物Ｐの吐出に伴い減少した外部容器（図示しない）内の体積を、吸入弁（図示しない）から外気Ｇを吸引することで復元するものである。
【００２３】
次に、本実施形態における吐出キャップ１００による、内容物Ｐの吐出及び弁室１３０内に残った内容物Ｐの容器２００内への回収動作について、図４乃至図６を用いて説明する。なお、説明のため、容器２００は静置したままの図を用いる。
まず、内容物Ｐの吐出手順を説明する。容器２００を吐出方向である吐出筒１１３の吐出誘導部１１３ｂ側に傾け、外側から押圧すると、容器２００は変形し、加圧された内容物Ｐが、弁座１３４側に付勢されている逆止弁１３２の弁部１３８を供給孔１３５から押し上げ、弁部１３８の弁シール面１３８ａと弁座１３４との間を通り、弁室１３０内へ流入する。
さらに容器２００への押圧を続けると、内容物Ｐは吐出口１１３ａを通り、吐出誘導部１１３ｂに沿って吐出キャップ１００外へ吐出される。このとき、回収流路１４２は供給孔１３５に比べて十分に細いため、回収流路１４２を通って弁室１３０内へ流入する内容物Ｐはほぼない。
【００２４】
次に、弁室１３０内の内容物Ｐの容器２００内への回収動作を説明する。内容物Ｐの吐出は、容器２００内の内容物Ｐへの加圧が解除されることで止まるとともに、逆止弁１３２の弁部１３８を押し上げる力もなくなるため、供給孔１３５は逆止弁１３２の弁部１３８によって閉塞される。
弁室１３０内の内容物Ｐは、逆止弁１３２の閉塞までの僅かな時間は、供給孔１３５から容器２００内に戻るが、全量が戻ることはなく、閉塞後にも弁室１３０内に内容物Ｐが残留する。
【００２５】
しかしながら、回収流路１４２は常に開口しているため、逆止弁１３２の弁部１３８の開閉状態に関わらず弁室１３０と容器２００内を連通している。また、加圧を解除された外部容器（図示しない）は弾性体で構成されており、元の形状に戻ろうとするため、容器２００内は一時的に負圧状態となり、容器外の流体を容器２００内へ吸引する力が発生する。
【００２６】
これによって、回収流路１４２から弁室１３０内に残留した内容物Ｐを内部容器（図示しない）内に回収することができる。なお、同時に吸入弁（図示しない）から外部容器（図示しない）内へ外気Ｇを吸引するため、弁室１３０内に残留していた内容物Ｐを回収した後、回収流路１４２から外気Ｇを内部容器（図示しない）内に吸引し始める前に、外部容器（図示しない）内へ外気Ｇが十分に吸引されることで、外部容器（図示しない）の形状及び容器２００内の圧力は元の状態に戻る。さらに、回収流路１４２内には表面張力により内容物Ｐが留まるため、内部容器（図示しない）内に外気Ｇが流入することはなく、内部容器（図示しない）内の内容物Ｐの劣化を防ぐことができる。
【００２７】
外部容器（図示しない）の復元後に上蓋１２０を閉じると、上蓋１２０に設けられた閉塞栓１２２が吐出筒１１３の吐出口１１３ａ内に挿入され、弁室１３０は外気Ｇと遮断される。また、逆止弁１３２は供給孔１３５を密閉しているため、回収流路１４２内の内容物Ｐに弁室１３０内の外気Ｇが接触するのみとなり、内部容器（図示しない）内の内容物Ｐの劣化を抑制することができる。さらに、閉塞栓１２２が逆止弁１３２の天面を押圧するように接触しているため、供給孔１３５の密閉を強固にできる。
【００２８】
次に、容器２００を吐出方向へ傾斜させながら内容物Ｐを吐出した際の、弁室１３０内における内容物Ｐの回収動作および外気Ｇの内部容器（図示しない）内への流入防止について、図７及び図８を用いて説明する。
ここで、底部１３３の中心から吐出時に傾斜した際の弁室１３０の下端に延ばした線を、底部１３３の周方向の時計回り及び反時計回りにそれぞれ４５度ずつ回転させて形成した弧の両端を結んだ直線を、流路形成ラインＬとする。
また、吐出口接続部１１３ｃのうち、吐出時に傾斜した際の最下点を、吐出時最下点Ｔとする。
まず、容器２００を、吐出口１１３ａの吐出方向である吐出誘導部１１３ｂ側へ傾斜させ、容器２００の外側から押圧すると、容器２００は変形し、加圧された内容物Ｐが、逆止弁１３２を供給孔１３５側から押上げ、弁シール面１３８ａと弁座１３４との間を通り、弁室１３０内へ流入する。
【００２９】
このとき、弁室１３０内の外気Ｇは内容物Ｐの流入に伴い、吐出口１１３ａから吐出誘導部１１３ｂに沿って容器２００外へ排出されるが、容器２００の吐出方向への傾斜時において、弁室１３０内の空間の上方に、外気Ｇが僅かに残ることがある。
ここで、容器２００の吐出方向への傾斜時において、弁室１３０内の液面位置Ｓは、図７（ａ）に示すように、弁室１３０内の空間の、吐出口１１３ａと弁室１３０との接続部である吐出口接続部１１３ｃよりも上方に位置しており、回収流路１４２は、図７（ａ′）に示すように、液面位置Ｓよりも下方に設けられていることから、弁室１３０内の外気Ｇは内容物Ｐの流動に沿って吐出口１１３ａから吐出キャップ１００外へ排出されるか、弁室１３０内に留まるため、内部容器内に外気Ｇが流入することはない。
【００３０】
次に、容器２００からの内容物Ｐの吐出後、容器２００への加圧を解除すると、内容物Ｐの吐出が止まり、供給孔１３５は逆止弁１３２によって弁室１３０との連通を解除され、内容物Ｐは回収流路１４２を介して内部容器（図示しない）内へ回収され始める。
このとき、容器２００を吐出方向へ傾斜させたまま容器２００への加圧を解除しても、容器２００の吐出方向への傾斜時において、弁室１３０内の液面位置Ｓは、図７（ｂ）に示すように、吐出口接続部１１３ｃよりも上方に位置しており、回収流路１４２は、図７（ｂ′）に示すように、液面位置Ｓよりも下方に設けられていることから、弁室１３０内の内容物Ｐを回収し終えるまでは、回収流路１４２に外気Ｇが触れることがない。
【００３１】
なお、弁室１３０内の内容物Ｐを回収していくと、液面位置Ｓは、図８（ｃ）に示すように、吐出時最下点Ｔまで下がり、徐々に回収流路１４２側へ近づいていくが、図８（ｃ′）に示すように、回収流路１４２は液面位置Ｓよりも下方に位置しており、回収流路１４２に外気Ｇが触れることはなく、弁室１３０内の内容物Ｐを安定して回収することができる。
特に、図８（ｄ）に示すように、弁室１３０内の内容物Ｐが残り僅かになった場合でも、流路形成ラインＬを基準線として、弁室１３０の中心と対向する側に回収流路１４２を形成することで、図８（ｄ′）に示すように、確実に外気Ｇが触れることがなく、弁室１３０内の内容物Ｐを回収することができるより好適な回収流路１４２を形成できる。
【００３２】
また、弁室１３０内の内容物Ｐを回収後も、回収流路１４２内には表面張力により内容物Ｐが留まるため、内部容器（図示しない）内に外気Ｇが流入することはない。
これによって、内容物Ｐの吐出時及び回収時のどちらにおいても、弁室１３０内に外気Ｇが残っていても、内部容器（図示しない）内へ外気Ｇが流入することはなく、内部容器（図示しない）内の内容物Ｐの劣化を防ぐことが出来る。
【００３３】
以上、本発明の実施形態を詳述したが、本発明は上記実施形態に限定されるものではなく、特許請求の範囲に記載された本発明を逸脱することなく種々の設計変更を行うことが可能である。
なお、上述した実施形態では、容器は内容物を収容する可撓性の内部容器と、内部容器を内包する弾性を備えた外部容器とで構成されているものとして説明したが、容器の構成はこれに限定されず、例えば、内部容器を用いずに外部容器のみで構成してもよく、容器底部に上下動可能なピストンを設けて、容器内容積が可変となるように構成してもよい。
また、上述した実施形態では、吐出キャップにはヒンジ接続された上蓋が設けられているものとして説明したが、吐出キャップの形態はこれに限定されず、例えば、上蓋がなくてもよく、キャップ本体とは別体のスクリューキャップ式の上蓋として設けてもよい。
また、上述した実施形態では、上蓋は、キャップ本体の、吐出方向とは反対側にヒンジ接続されているものとして説明したが、上蓋とキャップ本体との接続状態はこれに限定されず、例えば、キャップ本体の、吐出方向と９０度向きを変えた位置に接続されていてもよい。
【００３４】
また、上述した実施形態では、係合壁の内周面には、下方に開放した浅い溝部が設けられており、係合壁部と底部とが当接することで回収流路が形成されているものとして説明したが、回収流路の形成方法はこれに限定されず、例えば、溝部の代わりに粗面加工を設けたり、底部の外周縁部に下方に開放したスリットを設けてもよく、係合壁部や底部に、弁室と容器とを連通する小孔を設けてもよい。
また、係合壁部の内周面に回収流路が形成されているものを説明したが、回収流路の位置はこれに限定されず、例えば、底部の外周縁部に回収流路を設けてもよい。
【００３５】
また、上述した実施形態では、弁室は、本体天面と、係合壁部と、中栓とで区画された空間として形成されているものとして説明したが、弁室の形成方法はこれに限定されず、例えば、キャップ本体とは別体の弁室を用意し、キャップ本体の所定の位置に弁室を嵌合させて吐出キャップを構成するようにしてもよく、容器口部の先端に中栓を設け、キャップ本体と容器口部を嵌合することで弁室を形成してもよい。
また、上述した実施形態では、係合壁部の内周面の、吐出時に傾斜した際の吐出方向側には、下方に開放した０．０５ｍｍ程度の浅い溝部が３箇所設けられ、溝部と底部の外周縁部とによって、弁室と容器の内部とを連通する細長い回収流路が形成されているものとして説明したが、溝部の数やサイズはこれに限定されず、例えば、溝部が１つでもよく、０．１ｍｍ程度の浅い溝部でもよい。
【符号の説明】
【００３６】
１００    ・・・  吐出キャップ
１１０    ・・・  キャップ本体
１１１    ・・・  本体天面
１１２    ・・・  嵌合壁部
１１３    ・・・  吐出筒
１１３ａ  ・・・  吐出口
１１３ｂ  ・・・  吐出誘導部
１１３ｃ  ・・・  吐出口接続部
１１４    ・・・  係合壁部
１１４ａ  ・・・  突条
１１４ｂ  ・・・  溝部
１１５    ・・・  スカート壁
１１６    ・・・  係止リブ
１１７    ・・・  係合凸部
１２０    ・・・  上蓋
１２１    ・・・  上蓋天面
１２２    ・・・  閉塞栓
１３０    ・・・  弁室
１３１    ・・・  中栓
１３２    ・・・  逆止弁
１３３    ・・・  底部
１３４    ・・・  弁座
１３５    ・・・  供給孔
１３６    ・・・  係合柱部
１３７    ・・・  筒部
１３８    ・・・  弁部
１３８ａ  ・・・  弁シール面
１４０    ・・・  基部
１４１    ・・・  接続片
１４２    ・・・  回収流路
２００    ・・・  容器
２０１    ・・・  容器口部
２０２    ・・・  係止突条
Ｐ        ・・・  内容物
Ｇ        ・・・  外気
Ｓ        ・・・  液面位置
Ｌ        ・・・  流路形成ライン
Ｔ        ・・・  吐出時最下点
【図１】
2018154356.tif 000003
【図２】
2018154356.tif 000004
【図３】
2018154356.tif 000005
【図４】
2018154356.tif 000006
【図５】
2018154356.tif 000007
【図６】
2018154356.tif 000008
【図７】
2018154356.tif 000009
【図８】
2018154356.tif 000010